(57)【要約】【課題】上空制限のある、狭隘な場所で、かつ充電部が接近する場所において重量物を吊り上げることができ、設置及び撤去も容易な重量物の吊り上げ治具とその作業方法を提供する。【解決手段】本体２と、本体２の左右に夫々立設される仮設柱７とからなり、本体２は、互いに平行で左右一対の、段階的に伸縮可能な縦杆３と、縦杆３の上部を連結する横杆４とから略逆凹形に構成され、仮設柱７には、一端が横杆４に接続されているワイヤロープ８の繰り出し及び巻き上げを行うウインチ７２が設けられており、作業員等のユーザによってウインチ７２が操作されると、縦杆３が伸縮する構成とした。【選択図】図１
2014189383.tif 000002
【特許請求の範囲】
【請求項１】
本体と、当該本体の左右に夫々立設される仮設柱とからなり、
前記本体は、互いに平行で左右一対の、段階的に伸縮可能な縦杆と、当該縦杆の上部を連結する横杆とから略逆凹形に構成され、
前記仮設柱には、一端が前記横杆に接続されているワイヤロープの繰り出し及び巻き上げを行うウインチが設けられており、
作業員等のユーザによって前記ウインチが操作されると、前記縦杆が伸縮することを特徴とする、重量物の吊り上げ治具。
【請求項２】
前記縦杆は、段階的に伸縮可能な構成として、複数の部材から成り、順次に細径となる各部材は太径側に細径側を挿嵌して連結しており、
縦杆を一番長く伸ばした状態で、縦杆の一側面の、太径側の部材と細径側の部材とが重複する箇所には、貫通孔が設けられ、
作業員等のユーザによって前記貫通孔にピンが挿入されると、前記細径側の部材の伸びた状態が維持されることを特徴とする、請求項１に記載の重量物の吊り上げ治具。
【請求項３】
張出し骨組を縦杆の下部に夫々設置することを特徴とする、請求項１又は２に記載の重量物の吊り上げ治具。
【請求項４】
作業員等のユーザは、
所定の場所に、重量物の吊り上げ治具に係る各部材を運び込み、
前記本体を配置し、
当該本体の左右に仮設柱を夫々設置し、
前記ウインチを操作して、前記ワイヤロープを巻き上げて、本体を引き上げ、前記縦杆を伸ばすことを特徴とする、請求項１〜３のいずれかに記載の重量物の吊り上げ治具の設置方法。
【請求項５】
請求項４に記載の重量物の吊り上げ治具の設置方法において、
太径側の部材と細径側の部材とが重複する箇所の前記貫通孔に前記ピンを挿入し、前記細径側の部材の伸びた状態を維持させることを特徴とする、請求項２に記載の重量物の吊り上げ治具の設置方法。
【発明の詳細な説明】
【技術分野】
【０００１】
本発明は、地下式変電所内等の上空制限のある、狭隘な場所で、かつ充電部が接近する個所において重量物を吊り上げるための重量物の吊り上げ治具に関するものである。
【背景技術】
【０００２】
従来、発電所・変電所では、遮断機や変圧器といった機器の設置・取替・撤去の際等に、当該機器を吊り上げる必要が生じた場合には、クレーン車を用いていた。
【０００３】
例えば、特許文献１の従来技術では、機器の設置・取替・撤去工事の際に、機器にワイヤロープ６ｂをセットしクレーン６ａにより吊り上げる構成が開示されている。
【先行技術文献】
【特許文献】
【０００４】
【特許文献１】特開平９ー１６３５２７号公報
【発明の概要】
【発明が解決しようとする課題】
【０００５】
しかしながら、機器の吊り上げにクレーン車を用いる場合、その前にクレーン車を発電所・変電所内に搬入あるいは設置し、作業終了後当該クレーン車を撤去あるいは搬出する必要がある。また、クレーン車を使用する場合は、搬入出路と据付場所のスペース確保ならびにブームを伸長するための上空空間等が必要となる。従って、機器の吊り上げ準備に手間がかかると共に、機器の吊り上げに伴う作業時間、ならびに充電部接近個所では作業に伴う停電も長時間必要となる。
【０００６】
特に、地下に変電所の主要機器を全て収納した地下式変電所で、クレーン車の搬入出あるいは設置・撤去を行う際には、変電所の入口であるハッチを通じて行う必要がある。そのハッチ周辺のスペースは、建設当時は確保されていたものの、現状では、例えば、ハッチ部が別の用途に使用されていたり、あるいは、ハッチ周辺のスペースが公道であったり、多くの人、車が往来する通路であったりして、ハッチを開けることができない等、不便があった。
【０００７】
そこで本発明は、上記問題点に対処するため、上空制限のある、狭隘な場所で、かつ充電部が接近する個所において重量物を吊り上げることができ、その場所で治具の設置及び撤去が容易にできる、重量物を吊上げることができる重量物の吊り上げ治具とその作業方法を提供する。
【課題を解決するための手段】
【０００８】
前記目的を達成するため、請求項１の発明では、
本体と、当該本体の左右に夫々立設される仮設柱とからなり、
前記本体は、互いに平行で左右一対の、段階的に伸縮可能な縦杆と、当該縦杆の上部を連結する横杆とから略逆凹形に構成され、
前記仮設柱には、一端が前記横杆に接続されているワイヤロープの繰り出し及び巻き上げを行うウインチが設けられており、
作業員等のユーザによって前記ウインチが操作されると、前記縦杆が伸縮する、重量物の吊り上げ治具とした。
【０００９】
請求項２の発明では、
前記縦杆は、段階的に伸縮可能な構成として、複数の部材から成り、順次に細径となる各部材は太径側に細径側を挿嵌して連結しており、
縦杆を一番長く伸ばした状態で、縦杆の一側面の、太径側の部材と細径側の部材とが重複する箇所には、貫通孔が設けられ、
作業員等のユーザによって前記貫通孔にピンが挿入されると、前記細径側の部材の伸びた状態が維持される、請求項１に記載の重量物の吊り上げ治具とした。
【００１０】
請求項３の発明では、
張出し骨組を縦杆の下部に夫々設置する、請求項１又は２に記載の重量物の吊り上げ治具とした。
【００１１】
請求項４の発明では、
作業員等のユーザは、
所定の場所に、重量物の吊り上げ治具に係る各部材を運び込み、
前記本体を配置し、
当該本体の左右に仮設柱を夫々設置し、
前記ウインチを操作して、前記ワイヤロープを巻き上げて、本体を引き上げ、前記縦杆を伸ばす、請求項１〜３のいずれかに記載の重量物の吊り上げ治具の設置方法とした。
【００１２】
請求項５の発明では、
請求項４に記載の重量物の吊り上げ治具の設置方法において、
太径側の部材と細径側の部材とが重複する箇所の前記貫通孔に前記ピンを挿入し、前記細径側の部材の伸びた状態を維持させる、請求項２に記載の重量物の吊り上げ治具の設置方法とした。
【発明の効果】
【００１３】
本発明によれば、地下式変電所等の上空制限のある、狭隘な場所で、かつ充電部が接近する個所において吊り上げ治具の組立・解体が特別な工具を必要とせずにできるように、単体重量・長さを人力または簡易な台車で運搬できる部品の構成とした。
【００１４】
その結果、重量物の吊り上げ治具を、充電部接近個所であっても短時間で設置できると共に、重量物の吊り上げに伴う時間が短縮され、作業に必要な停電時間も短縮される。
【発明を実施するための形態】
【００１５】
本発明は、本体と、当該本体の左右に夫々立設される仮設柱とからなり、前記本体は、互いに平行で左右一対の、段階的に伸縮可能な縦杆と、当該縦杆の上部を連結する横杆とから略逆凹形に構成され、前記仮設柱には、一端が前記横杆に接続されているワイヤロープの繰り出し及び巻き上げを行うウインチが設けられており、作業員等のユーザによって前記ウインチが操作されると、前記縦杆が伸縮する構成とすることにより、地下式変電所等の上空制限のある、狭隘な場所で重量物を吊り上げることができ、設置及び撤去も容易に行うことができる。
【図面の簡単な説明】
【００１６】
【図１】本発明の実施例に係る重量物の吊り上げ治具の全体的な構成を例示的に示す正面図である。
【図２】本発明の実施例に係る重量物の吊り上げ治具の本体の全体的な構成を例示的に示す正面図である。
【図３】本発明の実施例に係る重量物の吊り上げ治具の本体の全体的な構成を例示的に示す側面図である。
【図４】本発明の実施例に係る重量物の吊り上げ治具の本体の縦杆に張出し骨組を設置した構成を例示的に示す側面図である。
【図５】本発明の実施例に係る重量物の吊り上げ治具の本体の縦杆に張出し骨組を設置した構成を例示的に示す平面図である。
【図６】本発明の実施例に係る重量物の吊り上げ治具の本体の縦杆の貫通孔にピンを挿入した状態を例示的に示す説明図である。
【図７】本発明の実施例に係る重量物の吊り上げ治具の仮設柱の全体的な構成を例示的に示す側面図である。
【図８】本発明の実施例に係る重量物の吊り上げ治具の本体の第３部材が伸びた状態を例示的に示す正面図である。
【図９】本発明の実施例に係る重量物の吊り上げ治具の本体の第３部材及び第２部材が伸びた状態を例示的に示す正面図である。
【図１０】本発明の実施例に係る重量物の吊り上げ治具の設置の流れを示す流れ図である。
【実施例１】
【００１７】
以下、添付図面を参照して本発明に係る実施例を詳細に説明する。ただし、この実施例に記載されている構成要素はあくまでも例示であり、本発明の範囲をそれらのみに限定する趣旨のものではない。
【００１８】
＜吊り上げ治具１の構成＞
図１は、本実施例に係る吊り上げ治具１の全体的な構成を例示的に示した図である。吊り上げ治具１は、重量のある対象物を吊り上げるものである。ここで例えば、重量のある対象物とは、変圧器、遮断機といった変電所に係る機器である。なお、吊り上げ治具１は、約2トンまで吊り上げ可能な構成が望ましい。吊り上げ治具１は、主として、本体２と、本体の左右に夫々立設される２本の仮設柱７とから構成されている。
【００１９】
＜本体２の構成＞
本体２は、図２に示すように、互いに平行で左右一対の縦杆３と、縦杆の上部を連結する横杆４とから略逆凹形に構成されている。
【００２０】
＜縦杆３の構成＞
縦杆３の下部には、縦杆３を支えて安定を保つために、図３に示すように支持脚として、縦杆３の下端に、縦杆３と直角に角柱状の横杆６が設けられている。なお、本実施例においては、支持脚として、縦杆３の下端に横杆６を設ける構成を示したが、支持脚は縦杆３を支えて安定を保つ構成であれば良く、例えば、縦杆３の下端に、コンクリート製の重しを設ける構成としても良い。
【００２１】
また例えば、図４及び図５に示すように、縦杆３を支えて重量物吊り上げ時の治具の安定性を保つため、アウトリガー（＝張出し骨組）６２を縦杆３の下部に夫々設置する構成としても良い。
【００２２】
また、縦杆３は、３段伸縮式の構成になっており、３段階に長さを変えることができる。詳しくは、縦杆３は、各々丸筒状で地面側から順次に細径となる第１部材３１、第２部材３２、第３部材３３の複数の部材が太径側に細径側を挿嵌して連結し、３段階に伸縮可能な構造となっている。また、図３に示すように、縦杆３を3段階中一番長く伸ばした状態で、縦杆３の一側面の、第１部材３１（太径側の部材）と第２部材３２（細径側の部材）とが重複する箇所には、第１貫通孔３４が設けられ、第２部材３２（太径側の部材）と第３部材３３（細径側の部材）とが重複する箇所には、第２貫通孔３５が設けられている。そして、縦杆３に伸びた状態を維持させる場合には、図６に示すように、作業員等のユーザは、第１貫通孔３４等にピン３６を挿入する。なお、図６では、第１貫通孔３４及び第２貫通孔３５にピン３６を挿入した状態が示されている。なお、本実施例においては、縦杆３は、３段伸縮式の構成を示したが、この構成に限定されるものではなく、縦杆３は、段階的に伸縮可能な構成であれば良く、例えば、２段伸縮式の構成であっても、４段伸縮式の構成であっても良い。また、本実施例では、縦杆３の各部材が丸筒状の構成を示したが、この構成に限定されるものではなく、例えば、四角柱や六角柱といった角柱状の形状であっても良い。更に、吊り上げ治具１を使用予定の地下式変電所等の天井の高さに合わせて、縦杆３の長さを設計すれば、実際の重量物の吊り上げ作業を安全に行うことができる。
【００２３】
＜横杆４の構成＞
横杆４は、チェーンブロック５をＸ方向、つまり水平方向に案内する横行用の案内レールの役割を果たすものであり、例えば、I型鋼（＝アイビーム）を用いることができる。横杆４上には、チェーンブロック５が取り付けられており、チェーンブロック５は横杆４の長手方向に沿って摺動自在である。チェーンブロック５は、先端に重量物吊り下げ用フック５１を備えたチェーン５２を鎖車５３に巻き掛けた簡便な重量物吊り上げ装置であり、手動のものであっても、電動のものであっても良い。
【００２４】
なお、本実施例では、１個のチェーンブロック５用いる構成を示したが、この構成に限定されるものではなく、吊り上げ対象の重量物の容積や重量が大きい場合には、例えば、２個のチェーンブロック５を用いる、あるいは、横杆４のチェーンブロック５の左右から、ひも付きロープ及び金車（図示省略）を介して、仮設柱７のワイヤロープ８でも吊り上げる構成とすれば、重量物のバランスを損なうことなく、容易に吊り上げることが出来る。
【００２５】
＜仮設柱７の構成＞
本体の左右に夫々立設される仮設柱７は、ワイヤロープ８を用いて、本体２の縦杆３を伸縮させる際に、ワイヤロープ８を支持するためのものである。
【００２６】
仮設柱７は、図７に示すように、下部の一側面には、ワイヤロープ８の繰り出し及び巻き上げを行うウインチ７２が設けられており、上部に回転自在に滑車７１が設けられている。従って、図１に示すように、ウインチ７２から上部方向に繰り出されたワイヤロープ８は、滑車７１によって、下部方向（＝本体２の方向）に向きを変えられる。また、ワイヤロープ８の先端には、本体吊り上げ用フック８１が設けられ、当該本体吊り上げ用フック８１は、本体２の横杆４の両端部に夫々設置された受け具４１に接続されている。なお、ウインチ７２は、手動のものであっても、電動のものであっても良い。また、本実施例では、本体２を引き上げるためにワイヤロープ８を用いる構成を示したが、ワイヤロープを用いる構成に限定されるわけではなく、本体２及び重量物に係る耐荷重を満たすことができれば、例えばナイロンロープを用いる構成であっても良い。
【００２７】
＜吊り上げ治具１の設置の流れ＞
次に、本実施例に係る吊り上げ治具１の設置の流れについて、図１０に沿って、図１、図８、及び図９を用いて説明する。
【００２８】
図１に示すように、作業員等のユーザは、地下変電所等の上空に制限がある、上空に樹木等の弊害がある、又は通路幅に制限がある等の狭隘な所定の場所に、仮設柱７、縦杆３、横杆４等の各部材を分けて運び込んだ後、縦杆３が3段階中一番縮んだ状態の本体２を、吊り上げ対象の重量物（図示省略）が略中心となるように、配置する（ステップＳ１００１）。本体２の左右に仮設柱７を夫々設置し（ステップＳ１００２）、各仮設柱７のウインチ７２から繰り出したワイヤロープ８の本体吊り上げ用フック８１を本体２の横杆４の両端部に夫々設置された受け具４１に接続する（ステップＳ１００３）。次に、図８に示すように、作業員等のユーザは、仮設柱７のウインチ７２を同期させて操作し、ワイヤロープ８を巻き上げて、本体２を垂直に引き上げる（ステップＳ１００４）。すると、第３部材３３が伸び、第２部材３２と第３部材３３とが重複する箇所に第２貫通孔３５が現れる。作業員等のユーザは、当該第２貫通孔３５にピン３６を貫通させ（ステップＳ１００５）、第３部材３３（細径側の部材）が伸びた状態を維持させる。更に、吊り上げ対象の重量物を高く吊り上げたい場合には、図９に示すように、作業員等のユーザは、仮設柱７のウインチ７２を同期させて操作し、ワイヤロープ８を巻き上げて、本体２を垂直に引き上げる（ステップＳ１００６）。すると、第２部材３２が伸び、第１部材３１と第２部材３２とが重複する箇所に第１貫通孔３４が現れる。作業員等のユーザは、当該第１貫通孔３４にピン３６を貫通させ（ステップＳ１００７）、第２部材３２（細径側の部材）が伸びた状態を維持させる。これで、吊り上げ治具１の設置は完了する。
【００２９】
一方、設置した吊り上げ治具１を撤去する場合には、作業員等のユーザは、各第２貫通孔３５に貫通したピン３６を抜き、仮設柱７のウインチ７２を同期させて操作し、ワイヤロープ８を繰り出して、本体２を垂直に引き下げる。次に、作業員等のユーザは、各第１貫通孔３４に貫通したピン３６を抜き、仮設柱７のウインチ７２を同期させて操作し、ワイヤロープ８を繰り出して、本体２を垂直に引き下げる。次に、本体吊り上げ用フック８１を、縦杆３が3段階中一番縮んだ状態の本体２の各受け具４１から取り外す。そして、作業員等のユーザは、各仮設柱７を撤去すると共に、本体２を撤去する。
【００３０】
このように、吊り上げ治具１を用いることによって、地下式変電所等の上空に制限がある、上空に樹木等の弊害がある、又は通路幅に制限がある等の狭隘な場所において、周りの備品、装置等を損傷することなく、重量物を吊り上げることができ、重量物の吊り上げ治具の設置及び撤去も容易に行うことができる。そのため、重量物の吊り上げにかかる手間を軽減することができると共に、重量物の吊り上げに伴う時間が短縮され、作業に必要な停電時間も短縮される。
【符号の説明】
【００３１】
１：吊り上げ治具、２：本体、３：縦杆、３１：第１部材、３２：第２部材、３３：第３部材、３４：第１貫通孔、３５：第２貫通孔、３６：ピン、４：横杆、４１：受け具、５：チェーンブロック、５１：重量物吊り下げ用フック、５２：チェーン、５３：鎖車、６：横杆、６２：アウトリガー、７：仮設柱、７１：滑車、７２：ウインチ、８：ワイヤロープ、８１：本体吊り上げ用フック
【図１】
2014189383.tif 000003
【図２】
2014189383.tif 000004
【図３】
2014189383.tif 000005
【図４】
2014189383.tif 000006
【図５】
2014189383.tif 000007
【図６】
2014189383.tif 000008
【図７】
2014189383.tif 000009
【図８】
2014189383.tif 000010
【図９】
2014189383.tif 000011
【図１０】
2014189383.tif 000012